(57)【特許請求の範囲】
【請求項１】
筐体と、
前記筐体に対して開閉自在に取付けられたフロントドアと、
複数の図柄が表示された複数のリールと、
前記複数のリールを視認させるように前記フロントドアに設けられた表示窓と、
遊技者の操作に応じて前記複数のリールの回転を開始させる開始操作手段と、
前記遊技者の操作に応じて前記複数のリールの回転を停止させる停止操作手段と、
遊技に関する情報を表示するよう前記フロントドアに設けられた情報表示手段と、
前記情報表示手段に表示される情報に関する操作を行う情報操作手段と、を備え、
前記情報操作手段は、
前記遊技者によって押下操作される押下部と、
前記押下部の下方に配置され、前記遊技者による前記押下部の押下操作を検出する検出スイッチが実装されたスイッチ基板と、を有し、
前記押下部は、前記押下部の下面に凸部を有し、
前記押下部と前記スイッチ基板との間に、前記スイッチ基板を覆うカバー部材が設けられ、
前記カバー部材は、前記押下部の前記凸部と前記検出スイッチとの間に設けられた上部を有し、
前記カバー部材の前記上部は、前記押下部の前記凸部の先端部よりも広く形成されていることを特徴とする遊技機。
【請求項２】
前記カバー部材は、前記スイッチ基板を被覆可能な形状の下部と前記押下部の形状を模した形状の上部とが一体成型された構成を有し、
前記上部は、前記押下部の沈み込みを防止する機能を有することを特徴とする請求項１に記載の遊技機。
【発明の詳細な説明】
【技術分野】
【０００１】
本発明は、パチスロ機等の遊技機に関する。
【背景技術】
【０００２】
従来、この種の遊技機として、遊技者により操作可能な情報操作手段としての十字キーをフロントドアに配置したものが知られている（例えば、特許文献１参照）。この遊技機によれば、例えば液晶表示装置上において、各種演出における選択操作や各種情報の表示および入力等を、十字キーを用いて行うことで遊技者の利便性を高めることができる。
【先行技術文献】
【特許文献】
【０００３】
【特許文献１】特開２００８−１４９１９５号公報
【発明の概要】
【発明が解決しようとする課題】
【０００４】
しかしながら、遊技機のフロントドアには、リールを回転させるための操作レバーや、リールを停止させるための停止ボタン、ＢＥＴボタン、表示装置など、様々な装置が配置されている。このため、フロントドアに各種装置を配置するためのスペースには限りがあり、各種装置の省スペース化が望まれている。
【０００５】
ところが、上述の遊技機にあっては、特に情報操作手段としての十字キーをフロントドアに配置するあたって省スペース化を考慮したものとなっていない。
【０００６】
本発明は、上述のような事情に鑑みてなされたもので、フロントドアに配置される情報操作手段の省スペース化を図ることができる遊技機を提供することを目的とする。
【課題を解決するための手段】
【０００７】
本発明に係る遊技機は、上記目的達成のため、筐体（キャビネット２ａ）と、前記筐体に対して開閉自在に取付けられたフロントドア（２ｂ）と、複数の図柄が表示された複数のリール（３Ｌ，３Ｃ，３Ｒ）と、前記複数のリールを視認させるように前記フロントドアに設けられた表示窓（４）と、遊技者の操作に応じて前記複数のリールの回転を開始させる開始操作手段（スタートレバー１６）と、前記遊技者の操作に応じて前記複数のリールの回転を停止させる停止操作手段（ストップボタン１７Ｌ，１７Ｃ，１７Ｒ）と、遊技に関する情報を表示するよう前記フロントドアに設けられた情報表示手段（液晶表示装置１１）と、前記情報表示手段に表示される情報に関する操作を行う情報操作手段（十字キー１８）と、を備え、前記情報操作手段は、前記遊技者によって押下操作される押下部（１８０）と、前記押下部の下方に配置され、前記遊技者による前記押下部の押下操作を検出する検出スイッチ（６７ａ）が実装されたスイッチ基板（６７）と、を有し、前記押下部は、前記押下部の下面に凸部（１８０ａ）を有し、前記押下部と前記スイッチ基板との間に、前記スイッチ基板を覆うカバー部材（１８１）が設けられ、前記カバー部材は、前記押下部の前記凸部と前記検出スイッチとの間に設けられた上部（１８１ｂ）を有し、前記カバー部材の前記上部は、前記押下部の前記凸部の先端部よりも広く形成されている構成を有する。
【０００８】
この構成により、本発明に係る遊技機は、情報操作手段の押下部とスイッチ基板との間にスイッチ基板を覆うカバー部材を設けたので、押下部の検出スイッチへの接触面からスイッチ基板までの沿面距離を大きくとることができる。すなわち、押下部側からスイッチ基板にアクセスするために必要な距離を、カバー部材を設けない場合と比較して格段に大きくすることができる。
【０００９】
これにより、押下部側からスイッチ基板にアクセスするために必要な距離を大きくとるために押下部とスイッチ基板とを大きく離隔させる必要がなくなる。このため、限られたスペースのなかで、押下部およびスイッチ基板を近接して配置することができる。したがって、本発明に係る遊技機は、フロントドアに配置される情報操作手段の省スペース化を図ることができる。
【００１０】
また、本発明に係る遊技機において、前記カバー部材は、前記スイッチ基板を被覆可能な形状の下部（１８１ａ）と前記押下部の形状を模した形状の上部（１８１ｂ）とが一体成型された構成を有し、前記上部は、前記押下部の沈み込みを防止する機能を有する。
【００１１】
この構成により、本発明に係る遊技機は、カバー部材の下部がスイッチ基板を好適に被覆できるとともに、カバー部材の上部が押下部の沈み込みを防止することができる。
【発明の効果】
【００１２】
本発明によれば、フロントドアに配置される情報操作手段の省スペース化を図ることができる遊技機を提供することができる。
【図面の簡単な説明】
【００１３】
【図１】本発明の実施の形態に係るパチスロ機の機能フローを示す図である。
【図２】本発明の実施の形態に係るパチスロ機の外部構造を示す全体斜視図である。
【図３】本発明の実施の形態に係るパチスロ機の内部構造を示すものであって、フロントドアを開放した状態を示す斜視図である。
【図４】本発明の実施の形態に係るパチスロ機の電気的構成を示すブロック図である。
【図５】本発明の実施の形態に係るパチスロ機の主制御回路の構成を示すブロック図である。
【図６】本発明の実施の形態に係るパチスロ機の副制御回路の構成を示すブロック図である。
【図７】本発明の実施の形態に係るパチスロ機のフロントドア開放時にハーネスがクランプ部材に支持されている状態を示す斜視図である。
【図８】本発明の実施の形態に係るパチスロ機のフロントドア開放時にハーネスがクランプ部材から外れている状態を示す斜視図である。
【図９】本発明の実施の形態に係るパチスロ機のフロントドア閉鎖時におけるハーネスとリールユニットとの関係を示す一部切欠き側面図である。
【図１０】本発明の実施の形態に係るパチスロ機の役物駆動ユニットの動作を説明する側面図であって、（ａ）は液晶表示装置の下降時、（ｂ）は液晶表示装置の上昇時を示している。
【図１１】本発明の実施の形態に係るパチスロ機の役物駆動ユニットの構成を示す平面図である。
【図１２】本発明の実施の形態に係るパチスロ機のセレクタの構成を示す正面図である。
【図１３】本発明の実施の形態に係るセレクタの投入センサの検知動作を説明する断面図であって、（ａ）はメダルの非検知時、（ｂ）はメダルの検知時を示している。
【図１４】本発明の実施の形態に係るセレクタの第１のメダル通過センサの構成を示す斜視図である。
【図１５】本発明の実施の形態に係るセレクタの第２のメダル通過センサの検知動作を説明する図であって、（ａ）はメダルの非検知時、（ｂ）はメダルの検知時を示している。
【図１６】本発明の実施の形態に係るパチスロ機のメダル投入口の構成を示す斜視図である。
【図１７】本発明の実施の形態に係るパチスロ機のメダル投入口の構成を示す背面図である。
【図１８】本発明の実施の形態に係るパチスロ機のメダル補助収納庫の収容構造を示す斜視図である。
【図１９】本発明の実施の形態に係るパチスロ機のメダル補助収納庫の収容構造を示す断面図である。
【図２０】本発明の実施の形態に係るパチスロ機の十字キーの構成を示す分解斜視図である。
【図２１】本発明の実施の形態に係るパチスロ機の十字キーの組付け時の状態を示す側面図である。
【図２２】本発明の実施の形態に係るパチスロ機のパネルユニットの構成を示す分解斜視図である。
【図２３】本発明の実施の形態に係るパチスロ機のパネルユニットの組付け時の状態を示す断面図である。
【発明を実施するための形態】
【００１４】
本発明の一実施の形態を示す遊技機であるパチスロ機について、図１〜図２３を参照しながら説明する。はじめに、図１を参照して、遊技機の実施の形態に係る機能フローについて説明する。
【００１５】
本実施の形態のパチスロ機では、遊技を行うための遊技媒体としてメダルを用いる。なお、遊技媒体としては、メダル以外にも、コイン、遊技球、遊技用のポイントデータ又はトークン等を適用することもできる。
【００１６】
遊技者によりメダルが投入され、スタートレバーが操作されると、予め定められた数値の範囲（例えば、０〜６５５３５）の乱数から１つの値（以下、乱数値）が抽出される。
【００１７】
内部抽籤手段は、抽出された乱数値に基づいて抽籤を行い、内部当籤役を決定する。この内部抽籤手段は、後述する主制御回路が担う。内部当籤役の決定により、後述の入賞判定ラインに沿って表示を行うことを許可する図柄の組合せが決定される。なお、図柄の組合せの種別としては、メダルの払い出し、再遊技の作動、ボーナスの作動等といった特典が遊技者に与えられる「入賞」に係るものと、それ以外のいわゆる「ハズレ」に係るものとが設けられている。
【００１８】
また、スタートレバーが操作されると、複数のリールの回転が行われる。その後、遊技者により所定のリールに対応するストップボタンが押されると、リール停止制御手段は、内部当籤役とストップボタンが押されたタイミングとに基づいて、該当するリールの回転を停止する制御を行う。このリール停止制御手段は、後述する主制御回路が担う。
【００１９】
パチスロ機では、基本的に、ストップボタンが押されたときから規定時間（１９０ｍｓｅｃ又は７５ｍｓｅｃ）内に、該当するリールの回転を停止する制御が行われる。本実施形態では、この規定時間内にリールの回転に伴って移動する図柄の数を「滑り駒数」と呼ぶ。規定時間が１９０ｍｓｅｃである場合には、滑り駒数の最大数を図柄４コマ分に定め、規定時間が７５ｍｓｅｃである場合には、滑り駒数の最大数を図柄１コマ分に定める。
【００２０】
リール停止制御手段は、入賞に係る図柄の組合せ表示を許可する内部当籤役が決定されているときは、通常、１９０ｍｓｅｃ（図柄４コマ分）の規定時間内に、その図柄の組合せが入賞判定ラインに沿って極力表示されるようにリールの回転を停止させる。また、リール停止制御手段は、例えば、第２種特別役物であるチャレンジボーナス（ＣＢ）及びＣＢを連続して作動させるミドルボーナス（ＭＢ）の動作時には、１つ以上のリールに対して、規定時間７５ｍｓｅｃ（図柄１コマ分）内に、その図柄の組合せが入賞判定ラインに沿って極力表示されるようにリールの回転を停止させる。さらに、リール停止制御手段は、遊技状態に対応する各種規定時間を利用して、内部当籤役によってその表示が許可されていない図柄の組合せが入賞判定ラインに沿って表示されないようにリールの回転を停止させる。
【００２１】
こうして、複数のリールの回転がすべて停止されると、入賞判定手段は、入賞判定ラインに沿って表示された図柄の組合せが、入賞に係るものであるか否かの判定を行う。この入賞判定手段は、後述する主制御回路が担う。入賞判定手段により入賞に係るものであるとの判定が行われると、メダルの払い出し等の特典が遊技者に与えられる。パチスロ機では、以上のような一連の流れが１回の遊技として行われる。
【００２２】
また、パチスロ機では、前述した一連の流れの中で、液晶表示装置などの画像表示装置により行う映像の表示、各種ランプにより行う光の出力、スピーカにより行う音の出力、あるいはこれらの組合せを利用して様々な演出が行われる。
【００２３】
スタートレバーが操作されると、上述した内部当籤役の決定に用いられた乱数値とは別に、演出用の乱数値（以下、演出用乱数値）が抽出される。演出用乱数値が抽出されると、演出内容決定手段は、内部当籤役に対応づけられた複数種類の演出内容の中から今回実行するものを抽籤により決定する。この演出内容決定手段は、後述する副制御回路が担う。
【００２４】
演出内容が決定されると、演出実行手段は、リールの回転開始時、各リールの回転停止時、入賞の有無の判定時等の各契機に連動させて対応する演出を実行する。このように、パチスロ機では、内部当籤役に対応づけられた演出内容を実行することによって、決定された内部当籤役（言い換えると、狙うべき図柄の組合せ）を知る機会又は予想する機会が遊技者に提供され、遊技者の興味の向上を図ることができる。
【００２５】
＜パチスロ機の構造＞
次に、図２及び図３を参照して、本実施形態におけるパチスロ機の構造について説明する。
【００２６】
［外観構造］
図２は、パチスロ機１の外部構造を示す斜視図である。
【００２７】
図２に示すように、パチスロ機１は、外装体２を備えている。外装体２は、リールや回路基板等を収容する筐体としてのキャビネット２ａと、キャビネット２ａに対して開閉自在に取付けられたフロントドア２ｂとを有している。キャビネット２ａの両側面には、把手７が設けられている（図２では一側面の把手７のみを示す）。この把手７は、パチスロ機１を運搬するときに手をかける凹部である。
【００２８】
図３に示すように、キャビネット２ａの内部には、キャビネット２ａに対して着脱自在なリールユニット３が収容されている。リールユニット３は、複数（例えば２１個）の図柄が周方向に沿って所定の間隔をあけて表示された複数（本実施の形態では３つ）のリール３Ｌ，３Ｃ，３Ｒと、これらリール３Ｌ，３Ｃ，３Ｒを回転自在に支持する支持体３ａと、を有する。
【００２９】
３つのリール３Ｌ，３Ｃ，３Ｒは、リールユニット３内において横並びに設けられている。以下、各リール３Ｌ，３Ｃ，３Ｒを、それぞれ左リール３Ｌ、中リール３Ｃ、右リール３Ｒという。各リール３Ｌ，３Ｃ，３Ｒは、円筒状に形成されたリール本体と、リール本体の周面に装着された透光性のシート材を有している。上述の複数（例えば２１個）の図柄は、前述のシート材の表面に描かれている。
【００３０】
フロントドア２ｂは、ドア本体９と、画像表示装置の一具体例を示す液晶表示装置１１とを備えている。ドア本体９は、ヒンジ（不図示）を用いてキャビネット２ａに開閉自在に取り付けられている。ヒンジは、パチスロ機１の前方からドア本体９を見た場合に、ドア本体９における左側の端部に設けられている。
【００３１】
液晶表示装置１１は、遊技に関する情報を表示するようフロントドア２ｂのドア本体９の上部に取り付けられている。液晶表示装置１１は、映像の表示による演出を実行する他、例えば遊技機のカスタマイズや遊技履歴等の遊技台情報を表示することができる。したがって、液晶表示装置１１で表示される遊技に関する情報には、遊技上の演出情報や遊技台情報等の各種情報が含まれる。このように構成された液晶表示装置１１は、情報表示手段を構成する。
【００３２】
また、液晶表示装置１１は、ドア本体９に取り付けられた透明の保護カバー９ｃ内に配置されている。保護カバー９ｃは、例えばアクリル板等の透明な部材によって液晶表示装置１１を覆うように箱型に形成されている。また、液晶表示装置１１は、保護カバー９ｃ内を上下に可動する可動式の役物として構成されている。詳しくは、後述する。
【００３３】
また、フロントドア２ｂは、３つのリール３Ｌ，３Ｃ，３Ｒを視認させることが可能な表示窓４を有する。表示窓４は、３つのリール３Ｌ，３Ｃ，３Ｒに対応する３つの左表示窓４Ｌ，中表示窓４Ｃ，右表示窓４Ｒによって構成されている。
【００３４】
これら表示窓４Ｌ，４Ｃ，４Ｒは、正面（遊技者側）から見て、３つのリール３Ｌ，３Ｃ，３Ｒの配置領域と重畳する位置に設けられ、かつ、３つのリールより手前（遊技者側）に位置するように設けられる。したがって、遊技者は、表示窓４Ｌ，４Ｃ，４Ｒを介して、表示窓４の背後に設けられた３つのリール３Ｌ，３Ｃ，３Ｒを視認することができる。
【００３５】
本実施形態では、表示窓４Ｌ，４Ｃ，４Ｒは、その背後に設けられた対応するリールの回転が停止したとき、各リールに描かれた複数種類の図柄のうち、連続して配置された３つの図柄を表示できる大きさに設定されている。すなわち、表示窓４Ｌ，４Ｃ，４Ｒの枠内には、リール毎に上段、中段及び下段の各領域が設けられ、各領域に１個の図柄が表示される。そして、本実施形態では、左リール３Ｌの中段領域、中リール３Ｃの中段領域、及び、右リール３Ｒの中段領域を結ぶラインを、入賞か否かの判定を行う入賞判定ラインとして定義する。
【００３６】
ドア本体９の中央には、台座部１２が形成されている。この台座部１２には、遊技者の操作対象となる各種装置（メダル投入口１３、ＭＡＸベットボタン１４、１ベットボタン１５、スタートレバー１６、ストップボタン１７Ｌ，１７Ｃ，１７Ｒ、十字キー１８）が設けられている。
【００３７】
メダル投入口１３は、遊技者によって外部からパチスロ機１に投下されるメダルを受け入れるために設けられる。すなわち、メダル投入口１３は、遊技者によってメダルが投入されるためのものである。メダル投入口１３から投入されたメダルは、予め設定された枚数（例えば３枚）を上限として１回の遊技に使用され、予め設定された枚数を超えた分は、パチスロ機１の内部に預けることができる（いわゆるクレジット機能）。
【００３８】
ＭＡＸベットボタン１４及び１ベットボタン１５は、パチスロ機１の内部に預けられているメダルから１回の遊技に使用する枚数を決定するために設けられる。なお、図２には示さないが、台座部１２には、精算ボタンが設けられる。この精算ボタンは、パチスロ機１の内部に預けられているメダルを外部に引き出す（排出する）ために設けられる。
【００３９】
スタートレバー１６は、遊技者の操作に応じて全てのリール（３Ｌ，３Ｃ，３Ｒ）の回転を開始させるためのものであり、開始操作手段を構成する。
【００４０】
ストップボタン１７Ｌ，１７Ｃ，１７Ｒは、それぞれ、左リール３Ｌ、中リール３Ｃ、右リール３Ｒに対応付けて設けられ、遊技者の操作に応じて対応する各リールの回転を停止させるためのものである。これらストップボタン１７Ｌ，１７Ｃ，１７Ｒは、停止操作手段を構成する。以下、ストップボタン１７Ｌ，１７Ｃ，１７Ｒを、それぞれ左ストップボタン１７Ｌ、中ストップボタン１７Ｃ、右ストップボタン１７Ｒという。
【００４１】
十字キー１８は、液晶表示装置１１に表示される情報に関する操作を行うためのものであり、情報操作手段を構成する。例えば、十字キー１８は、液晶表示装置１１に表示されている遊技上の演出情報や遊技台情報等の表示画面における選択操作を行うときに遊技者によって押下される。十字キー１８の詳細な構成については、後述する。
【００４２】
また、台座部１２には、７セグメントＬＥＤ（Light Emitting Diode）からなる７セグ表示器２８が設けられている。この７セグ表示器２８は、特典として遊技者に対して払い出すメダルの枚数（以下、払出枚数）、パチスロ機１の内部に預けられているメダルの枚数（以下、クレジット枚数）等の情報をデジタル表示する。
【００４３】
フロントドア２ｂの台座部１２の下部には、腰部パネル１９が設けられている。また、本実施の形態に係る腰部パネル１９には、光による演出を行うパネルユニット２０が設けられている。パネルユニット２０の詳細な構成については、後述する。
【００４４】
ドア本体９の下部には、メダル払出口２１、メダル受皿２２、スピーカ２３Ｌ，２３Ｒ等が設けられている。メダル払出口２１は、後述のメダル払出装置４３の駆動により排出されるメダルを外部に導く。メダル受皿２２は、メダル払出口２１から排出されたメダルを貯める。また、スピーカ２３Ｌ，２３Ｒは、演出内容に対応する効果音や楽曲等の音を出力する。
【００４５】
［内部構造］
次に、パチスロ機１の内部構造を、図３を参照しながら説明する。図３は、パチスロ機１の内部構造を示す斜視図である。
【００４６】
キャビネット２ａは、正面側の一面が開口された略直方体状に形成されている。このキャビネット２ａ内の上部には、主制御回路９１を構成する主制御基板４１が設けられている。主制御回路９１は、内部当籤役の決定、各リールの回転及び停止、入賞の有無の判定等の、パチスロ機１における遊技の主な動作及び該動作間の流れを制御する回路である。なお、主制御回路９１の具体的な構成は後述する。
【００４７】
キャビネット２ａ内の中央部には、３つのリール（左リール３Ｌ、中リール３Ｃ及び右リール３Ｒ）が設けられている。なお、図３には示さないが、各リールは、所定の減速比を有する歯車を介して対応するステッピングモータに接続される。
【００４８】
キャビネット２ａ内の下部には、多量のメダルを貯留するホッパ装置４３が設けられている。ホッパ装置４３は、貯留したメダルを１枚ずつ排出可能な構造を有する。キャビネット２ａ内における、ホッパ装置４３の左側方（キャビネット２ａ内部を正面から見て左側）には、パチスロ機１が有する各装置に対して必要な電力を供給する電源装置４４が設けられている。
【００４９】
また、キャビネット２ａ内における、ホッパ装置４３の右側方（キャビネット２ａ内部を正面から見て右側）には、メダル補助収納庫４５が設けられている。このメダル補助収納庫４５は、ホッパ装置４３から溢れたメダルを収納する。メダル補助収納庫４５は、キャビネット２ａに対して着脱自在に収容されている。なお、メダル補助収納庫４５の詳細な構成については、後述する。
【００５０】
フロントドア２ｂの裏面側（表示画面側とは反対側の部分）における上部には、液晶表示装置１１を上下方向に可動する可動装置としての役物駆動ユニット２２１（図４参照）を収容したハウジング４６が取り付けられている。
【００５１】
また、このハウジング４６には、後述の副制御回路１０１（図９参照）を構成する副制御基板４２が設けられている。副制御回路１０１は、映像の表示等による演出の実行を制御する回路である。なお、副制御回路１０１の具体的な構成は後述する。
【００５２】
さらに、フロントドア２ｂの裏面側における上下方向の略中央部には、セレクタ２６が設けられている。セレクタ２６は、メダル投入口１３に投入されたメダルの選別、具体的にはメダルの材質や形状等が適正である否かの選別を行う装置であり、適正であると判定したメダルを後述するガイドレール２７を介してホッパ装置４３に案内する。なお、セレクタ２６の詳細な構成については、後述する。
【００５３】
＜パチスロ機の電気的構成＞
次に、パチスロ機１の電気的構成について、図４を参照して説明する。図４は、パチスロ機１の電気的構成を示すブロック図である。
【００５４】
図４に示すように、パチスロ機１は、キャビネット２ａに配設された主制御基板４１と、フロントドア２ｂに配設された副制御基板４２とを有している。主制御基板４１には、リール中継端子板５１と、設定用鍵型スイッチ５２と、キャビネット側中継基板５３と、ドア中継端子板５４と、電源装置４４の電源基板４４ｂとが電気的に接続されている。
【００５５】
リール中継端子板５１は、各リール３Ｌ，３Ｃ，３Ｒのリール本体の内側に配設されている。このリール中継端子板５１は、各リール３Ｌ，３Ｃ，３Ｒのステッピングモータ（不図示）に電気的に接続されており、主制御基板４１からステッピングモータに出力される信号を中継する。設定用鍵型スイッチ５２は、パチスロ機１の設定を変更する際又はパチスロ機１の設定を確認する際に使用する。
【００５６】
キャビネット側中継基板５３には、外部集中端子板５６と、ホッパ装置４３と、メダル補助収納庫スイッチ５７とが電気的に接続されている。このキャビネット側中継基板５３は、主制御基板４１から外部集中端子板５６、ホッパ装置４３、メダル補助収納庫スイッチ５７に出力される信号を中継する。つまり、外部集中端子板５６、ホッパ装置４３及びメダル補助収納庫スイッチ５７は、キャビネット側中継基板５３を介して主制御基板４１に接続されている。
【００５７】
外部集中端子板５６は、キャビネット２ａに取り付けられており、メダル投入信号、メダル払出信号及びセキュリティ信号などの信号をパチスロ機１の外部へ出力するために設けられている。なお、ホッパ装置４３については、上述したため、説明を省略する。
【００５８】
メダル補助収納庫スイッチ５７は、メダル補助収納庫４５内に挿通される一対のメダル検出片５７ａ、５７ｂ（図１８参照）からなる。メダル補助収納庫スイッチ５７は、一対のメダル検出片５７ａ、５７ｂがメダル補助収納庫４５内に貯留されたメダルを介して電気的に導通されることにより、一定量のメダルがメダル補助収納庫４５内に貯留されたことを検出するものである。すなわち、メダル補助収納庫スイッチ５７は、メダル補助収納庫４５がメダルで満杯になっているか否かを検出する。
【００５９】
電源装置４４の電源基板４４ｂには、電源スイッチ４４ａが接続されている。この電源スイッチ４４ａは、パチスロ機１に必要な電源を供給するときにＯＮにする。
【００６０】
ドア中継端子板５４には、投入センサ８０、第１のメダル通過センサ８１、第２のメダル通過センサ８２、ガイドレール通過センサ８３、ドア開閉監視スイッチ６１、ＢＥＴスイッチ６２、精算スイッチ６３、スタートスイッチ６４、ストップスイッチ基板６５、遊技動作表示基板６６、スイッチ基板６７及び副中継基板６８が接続されている。
【００６１】
つまり、投入センサ８０、第１のメダル通過センサ８１、第２のメダル通過センサ８２、ガイドレール通過センサ８３、ドア開閉監視スイッチ６１、ＢＥＴスイッチ６２、精算スイッチ６３、スタートスイッチ６４、ストップスイッチ基板６５、遊技動作表示基板６６、スイッチ基板６７及び副中継基板６８は、ドア中継端子板５４を介して主制御基板４１に接続されている。
【００６２】
投入センサ８０、第１のメダル通過センサ８１及び第２のメダル通過センサ８２は、それぞれセレクタ２６内に設けられ、セレクタ２６内を通過するメダルを検出して、その検出結果を主制御基板４１に出力する。これら投入センサ８０、第１のメダル通過センサ８１及び第２のメダル通過センサ８２は、メダル通過検出手段を構成する。
【００６３】
ガイドレール通過センサ８３は、後述するガイドレール２７上に設けられ、当該ガイドレール上を通過するメダルを検出して、その検出結果を主制御基板４１に出力する。ガイドレール通過センサ８３は、ガイドレール上メダル検出手段を構成する。
【００６４】
ドア開閉監視スイッチ６１は、フロントドア２ｂの開閉を報知するためのセキュリティ信号をパチスロ機１の外部へ出力する。ＢＥＴスイッチ６２は、ＭＡＸベットボタン１４及び１ベットボタン１５（図２参照）が遊技者により押されたことを検出して、その検出結果を主制御基板４１に出力する。
【００６５】
精算スイッチ６３は、精算ボタン（不図示）が遊技者により押されたことを検出して、その検出結果を主制御基板４１に出力する。スタートスイッチ６４は、スタートレバー１６が遊技者により操作されたこと（開始操作）を検出して、その検出結果を主制御基板４１に出力する。
【００６６】
ストップスイッチ基板６５は、回転しているリールを停止させるための回路と、停止可能なリールをＬＥＤなどにより表示するための回路を構成する基板である。このストップスイッチ基板６５には、ストップスイッチが設けられている。ストップスイッチは、各ストップボタン１７Ｌ，１７Ｃ，１７Ｒが遊技者により押されたこと（停止操作）を検出する。
【００６７】
遊技動作表示基板６６は、メダルの投入を受け付けるとき、３つのリール３Ｌ，３Ｃ，３Ｒが回動可能なとき及び再遊技を行うときに、投入されたメダルの枚数を７セグ表示器２８に表示させるための基板である。この遊技動作表示基板６６には、７セグ表示器２８とＬＥＤ６９が接続されている。ＬＥＤ６９は、例えば、遊技の開始を表示するマークや再遊技を行うマークなどを点灯させる。
【００６８】
スイッチ基板６７には、遊技者によって十字キー１８が操作されたことを検出する検出スイッチ６７ａが実装されている。
【００６９】
副中継基板６８は、副制御基板４２と主制御基板４１とを接続する配線を中継する。また、副中継基板６８は、副制御基板４２と副制御基板４２の周辺に配設された複数の基板とを接続する配線を中継する。すなわち、副中継基板６８には、副制御基板４２と、サウンドＩ／Ｏ基板７１と、ＬＥＤ基板７２と、２４ｈドア開閉監視ユニット７４と、役物制御基板７８とが電気的に接続されている。
【００７０】
副制御基板４２は、ドア中継端子板５４と副中継基板６８を介して主制御基板４１に接続されている。また、副制御基板４２は、副中継基板６８を介して、サウンドＩ／Ｏ基板７１と、ＬＥＤ基板７２と、２４ｈドア開閉監視ユニット７４と、役物制御基板７８とに電気的に接続されている。
【００７１】
サウンドＩ／Ｏ基板７１は、スピーカ２３Ｌ，２３Ｒへの音声の出力を行う。ＬＥＤ基板７２は、副制御回路１０１（図６参照）の制御により実行される演出に応じて、光源の一具体例を示すＬＥＤ群２５を発光させて、点滅パターンを表示する。
【００７２】
２４ｈドア開閉監視ユニット７４は、フロントドア２ｂの開閉の履歴を保存する。また、２４ｈドア開閉監視ユニット７４は、フロントドア２ｂを開放したときに、液晶表示装置１１にエラー表示を行うための信号を副制御基板４２（副制御回路１０１）に出力する。
【００７３】
役物制御基板７８は、副制御回路１０１（図６参照）の制御により実行される演出に応じて、役物駆動ユニット２２１を駆動させる。役物駆動ユニット２２１は、役物制御基板７８によって駆動制御されることで液晶表示装置１１を上下方向に可動させる。
【００７４】
副制御基板４２には、ロムカートリッジ基板７６と、液晶中継基板７７とが接続されている。ロムカートリッジ基板７６は、演出用の画像（映像）、音声、光（ＬＥＤ群２５）及び通信のデータを管理するための基板である。液晶中継基板７７は、副制御基板４２と液晶表示装置１１とを接続する配線を中継する基板である。
【００７５】
＜主制御回路＞
次に、主制御基板４１により構成される主制御回路９１について、図５を参照して説明する。図５は、パチスロ機１の主制御回路９１の構成例を示すブロック図である。
【００７６】
図５に示すように、主制御部としての主制御回路９１は、主制御基板４１上に設置されたマイクロコンピュータ９２を主たる構成要素とし、遊技の進行を制御するものである。マイクロコンピュータ９２は、メインＣＰＵ９３、メインＲＯＭ９４及びメインＲＡＭ９５により構成される。
【００７７】
メインＲＯＭ９４には、メインＣＰＵ９３により実行される制御プログラム、データテーブル、副制御回路１０１に対して各種制御指令（コマンド信号）を送信するためのデータ等が記憶されている。メインＲＡＭ９５には、制御プログラムの実行により決定された内部当籤役等の各種データを格納する格納領域が設けられる。
【００７８】
メインＣＰＵ９３には、クロックパルス発生回路９６、分周器９７、乱数発生器９８及びサンプリング回路９９が接続されている。クロックパルス発生回路９６及び分周器９７は、クロックパルスを発生する。メインＣＰＵ９３は、発生されたクロックパルスに基づいて、制御プログラムを実行する。乱数発生器９８は、予め定められた範囲の乱数（例えば、０〜６５５３５）を発生する。サンプリング回路９９は、発生された乱数の中から１つの値を抽出する。
【００７９】
メインＣＰＵ９３は、リールインデックスを検出してから各リール３Ｌ，３Ｃ，３Ｒのステッピングモータに対してパルスを出力した回数をカウントする。これにより、メインＣＰＵ９３は、各リール３Ｌ，３Ｃ，３Ｒの回転角度（主に、リールが図柄何個分だけ回転したか）を管理する。
【００８０】
なお、リールインデックスとは、リールが一回転したことを示す情報である。このリールインデックスは、例えば、発光部及び受光部を有する光センサと、各リール３Ｌ，３Ｃ，３Ｒの所定の位置に設けられ、各リール３Ｌ，３Ｃ，３Ｒの回転により発光部と受光部との間に介在される検知片を備えたリール位置検出部（不図示）により検出する。
【００８１】
ここで、各リール３Ｌ，３Ｃ，３Ｒの回転角度の管理について、具体的に説明する。ステッピングモータに対して出力されたパルスの数は、メインＲＡＭ９５に設けられたパルスカウンタによって計数される。そして、図柄１つ分の回転に必要な所定回数（例えば１６回）のパルスの出力がパルスカウンタで計数される毎に、メインＲＡＭ９５に設けられた図柄カウンタが１ずつ加算される。図柄カウンタは、各リール３Ｌ，３Ｃ，３Ｒに応じて設けられている。図柄カウンタの値は、リール位置検出部（不図示）によってリールインデックスが検出されるとクリアされる。
【００８２】
つまり、本実施の形態では、図柄カウンタを管理することにより、リールインデックスが検出されてから図柄何個分の回転が行われたのかを管理するようになっている。したがって、各リール３Ｌ，３Ｃ，３Ｒの各図柄の位置は、リールインデックスが検出される位置を基準として検出される。
【００８３】
本実施の形態では、基本的に滑り駒数の最大数を図柄４個分に定めている。したがって、左ストップボタン１７Ｌが押されたときに表示窓４の中段にある左リール３Ｌの図柄と、その４個先の図柄までの範囲内にある各図柄が、表示窓４の中段に停止可能な図柄となる。
【００８４】
＜副制御回路＞
次に、副制御基板４２により構成される副制御回路１０１について、図６を参照して説明する。図６は、パチスロ機１の副制御回路１０１の構成例を示すブロック図である。
【００８５】
副制御部としての副制御回路１０１は、主制御回路９１と電気的に接続されており、主制御回路９１から送信されるコマンド信号に基づいて演出内容の決定や実行等の処理を行うとともに、液晶表示装置１１、役物駆動ユニット２２１、ＬＥＤ群２５、スピーカ２３Ｌ，２３Ｒ等の周辺装置の制御を行うものである。副制御回路１０１は、基本的に、サブＣＰＵ１０２、サブＲＡＭ１０３、レンダリングプロセッサ１０４、描画用ＲＡＭ１０５、ドライバ１０６を含んで構成されている。
【００８６】
サブＣＰＵ１０２は、主制御回路９１から送信されたコマンド信号に応じて、ロムカートリッジ基板７６に記憶されている制御プログラムに従い、映像、音、光の出力の制御を行う。ロムカートリッジ基板７６は、基本的に、プログラム記憶領域とデータ記憶領域によって構成される。
【００８７】
プログラム記憶領域には、サブＣＰＵ１０２が実行する制御プログラムが記憶されている。例えば、制御プログラムには、主制御回路９１との通信を制御するための主基板通信タスクや、演出用乱数値を抽出し、演出内容（演出データ）の決定及び登録を行うための演出登録タスクが含まれる。また、決定した演出内容に基づいて液晶表示装置１１（図２参照）による映像の表示を制御する描画制御タスク、役物駆動ユニット２２１による液晶表示装置１１の可動を制御する役物制御タスク、ＬＥＤ群２５等の光源による光の出力を制御するランプ制御タスク、スピーカ２３Ｌ，２３Ｒによる音の出力を制御する音声制御タスク等が含まれる。
【００８８】
データ記憶領域は、各種データテーブルを記憶する記憶領域、各演出内容を構成する演出データを記憶する記憶領域、映像の作成に関するアニメーションデータを記憶する記憶領域が含まれている。また、ＢＧＭや効果音に関するサウンドデータを記憶する記憶領域、光の点消灯のパターンに関するランプデータを記憶する記憶領域等が含まれている。
【００８９】
サブＲＡＭ１０３は、決定された演出内容や演出データを登録する格納領域や、主制御回路９１から送信される内部当籤役等の各種データを格納する格納領域が設けられている。
【００９０】
サブＣＰＵ１０２、レンダリングプロセッサ１０４、描画用ＲＡＭ（フレームバッファを含む）１０５及びドライバ１０６は、演出内容により指定されたアニメーションデータに従って映像を作成し、作成した映像を液晶表示装置１１に表示させる。また、サブＣＰＵ１０２は、演出内容により指定された役物可動データに従って役物駆動ユニット２２１を駆動する。
【００９１】
また、サブＣＰＵ１０２は、演出内容により指定されたサウンドデータに従ってＢＧＭなどの音をスピーカ２３Ｌ，２３Ｒにより出力させる。また、サブＣＰＵ１０２は、演出内容により指定されたランプデータに従ってＬＥＤ群２５の点灯及び消灯を制御する。
【００９２】
次に、図７〜図９を参照して、本実施の形態に係るリールユニット３の詳細な構成について説明する。
【００９３】
図７に示すように、リールユニット３は、支持体３ａがキャビネット２ａ内に設けられた支持板２ｃ上にスライド自在に取付けられることで、キャビネット２ａに対して着脱自在に収容される。なお、支持体３ａは、支持板２ｃに限らず、例えばキャビネット２ａの左右側板の内側面にレール等を取付け、これにスライド自在に取付けられる構成であってもよい。
【００９４】
支持体３ａは、リール３Ｌ，３Ｃ，３Ｒの遊技機背面側の略半分程度を覆うような箱型あるいは半円筒状の形状をなし、遊技機正面側が開口されている。
【００９５】
また、支持体３ａは、表示窓４から視認可能な領域外、つまり遊技機正面から表示窓４を見たときに視認できない表示窓４の下方に、フロントドア２ｂと３つのリール３Ｌ，３Ｃ，３Ｒとの間の隙間を塞ぐよう表示窓４側にせり出したせり出し部３０を有する。せり出し部３０は、ねじ等の締結部材によって支持体３ａに取付けられている。なお、せり出し部３０は、支持体３ａに一体形成されていてもよい。
【００９６】
また、せり出し部３０は、支持体３ａの開口が形成された遊技機正面側の左右の両縁から遊技機正面側に突出した一対の突出片３１と、遊技機左右方向に延在するよう、一対の突出片３１間に設けられた干渉防止片３２とを含んで構成されている。これにより、せり出し部３０は、リール３Ｌ，３Ｃ，３Ｒの下部を取り囲むような枠体を形成する。なお、せり出し部３０は、枠体に限らず、例えばリール３Ｌ，３Ｃ，３Ｒの下部を覆うとともに、上部が開口した箱型あるいは扇型の形状であってもよい。
【００９７】
ここで、図７及び図８に示すように、パチスロ機１は、フロントドア２ｂ側に設けられた電装品（例えば、副制御基板４２やＬＥＤ基板７２等）と、キャビネット２ａ側に設けられた電装品（例えば、主制御基板４１や電源装置４４等）とを電気的に接続するハーネス３５を備えている。
【００９８】
ハーネス３５は、各種配線を束ねたもので、コルゲートチューブや樹脂テープ等で被覆されている。なお、ハーネス３５は、コルゲートチューブや樹脂テープ等で被覆されていなくともよい。
【００９９】
こうしたハーネス３５は、通常、図７に示すように、クランプ３６によってキャビネット２ａに固定されたり、クリップ３７によってフロントドア２ｂに固定されるようになっている。これにより、ハーネス３５は、キャビネット２ａ内に設けられた各種装置類との干渉が防止される。
【０１００】
ところが、例えばフロントドア２ｂの開閉に伴ってハーネス３５がクランプ３６やクリップ３７から外れる場合がある。図８は、ハーネス３５がクリップ３７から外れた様子を示している。
【０１０１】
図８に示すように、ハーネス３５がクリップ３７から外れると、それまでフロントドア２ｂ側に固定されていたハーネス３５がリール３Ｌ，３Ｃ，３Ｒ側に向けて撓むおそれがある。この場合、キャビネット２ａに対してフロントドア２ｂを閉じると、ハーネス３５がリール３Ｌ，３Ｃ，３Ｒに接触するおそれがある。
【０１０２】
ただし、本実施の形態では、上述のようにハーネス３５がリール３Ｌ，３Ｃ，３Ｒ側に向けて撓むような事態になっても、せり出し部３０によってハーネス３５のリール３Ｌ，３Ｃ，３Ｒへの接触を防止することができる。
【０１０３】
具体的には、図９に示すように、キャビネット２ａに対してフロントドア２ｂを閉じた際に、撓んでいるハーネス３５が、せり出し部３０の干渉防止片３２によってフロントドア２ｂ側に押し当てられる。これにより、ハーネス３５がリール３Ｌ，３Ｃ，３Ｒに接触することが回避される。このように、本実施の形態に係るせり出し部３０は、フロントドア２ｂを閉状態にすることで、ハーネス３５の撓み防止機能を有する。
【０１０４】
また、このとき、干渉防止片３２がフロントドア２ｂと３つのリール３Ｌ，３Ｃ，３Ｒとの間の隙間を塞ぐように表示窓４側に近づくので、例えば遊技者が表示窓４からキャビネット２ａ内を見ようとしても干渉防止片３２によって遮られることとなる。これにより、キャビネット２ａ内のホッパ装置４３や電源装置４４が外部から視認されることがなくなる。
【０１０５】
また、せり出し部３０は、キャビネット２ａに対するリールユニット３の着脱時に、遊技場の店員等の作業者が把持可能な取っ手としての機能を兼ね備えている。具体的には、作業者の指がかかり易いように、干渉防止片３２の先端側が下方に突出した形状をなしている。なお、干渉防止片３２の形状は、上述した形状に限らず、作業者の指がかかり易い形状であればいずれの形状でもよい。
【０１０６】
これにより、作業者は、干渉防止片３２を取っ手として利用することによって、キャビネット２ａに対するリールユニット３の着脱を容易に行えることとなる。特に、本実施の形態では、せり出し部３０が支持体３ａの下部側に設けられているので、支持板２ｃ上での支持体３ａのスライド動作をスムースに行うことができる。
【０１０７】
次に、図１０及び図１１を参照して、本実施の形態に係る役物駆動ユニット２２１の詳細な構成について説明する。
【０１０８】
図１０（ａ）、（ｂ）に示すように、役物駆動ユニット２２１は、駆動モータ２３０と、ピニオンギヤ２３１と、出力ギヤとしての減速ギヤ機構２３２と、ウォームギヤ２３３と、アーム部材２３５と、付勢部材としてのねじりばね２３６とを含んで構成されている。
【０１０９】
駆動モータ２３０は、駆動軸２３０ａを有する。ピニオンギヤ２３１は、駆動軸２３０ａに一体回転可能に取付けられている。減速ギヤ機構２３２は、ピニオンギヤ２３１に噛み合う第１減速ギヤ２３２ａと、第１減速ギヤ２３２ａに噛み合う第２減速ギヤ２３２ｂとを含んで構成されている。
【０１１０】
第２減速ギヤ２３２ｂには、ウォームギヤ２３３が一体回転可能に取付けられている。したがって、減速ギヤ機構２３２は、ピニオンギヤ２３１の回転を第１減速ギヤ２３２ａ及び第２減速ギヤ２３２ｂで減速してウォームギヤ２３３に伝達する。これにより、ピニオンギヤ２３１からウォームギヤ２３３に伝達されるトルクが増幅される。
【０１１１】
ウォームギヤ２３３は、第２減速ギヤ２３２ｂに一体回転可能に取付けられるとともに、一対のベアリング２３４を介してケース２６１に回転可能に支持されている。ケース２６１は、上述したハウジング４６（図３参照）に図示しないブラケット等を介して固定されている。
【０１１２】
アーム部材２３５は、ウォームギヤ２３３に噛み合うギヤ部２３５ａが一端に形成されている。アーム部材２３５の一端は、回動軸２３７を支点にケース２６１に回動自在に支持されている。したがって、アーム部材２３５は、ウォームギヤ２３３の回転に応じて上下方向に回動するようになっている。
【０１１３】
また、アーム部材２３５の他端には、液晶表示装置１１を取付けるための長穴２３５ｂが形成されている。
【０１１４】
ねじりばね２３６は、コイル部分が回動軸２３７に取付けられるとともに、一端がアーム部材２３５に形成された係止片２３５ｃに係止され、他端がケース２６１に形成された係止片２６１ａに係止されている。これにより、ねじりばね２３６は、アーム部材２３５を常時、上方向に付勢している。
【０１１５】
このように構成された役物駆動ユニット２２１は、図１１に示すように、遊技機左右方向（図中、左右方向）に並んで２つ設けられている。これにより、液晶表示装置１１を確実に上下に可動させることができる。
【０１１６】
一方、液晶表示装置１１は、背面側に２つの取付け片１１０を有しており、これら取付け片１１０には、連結軸１１１が取付けられている。連結軸１１１は、アーム部材２３５の長穴２３５ｂに挿通されるようになっている。これにより、液晶表示装置１１は、アーム部材２３５の他端に連結される。
【０１１７】
また、液晶表示装置１１と一対の役物駆動ユニット２２１とは、一対のリニアガイド機構１２０を介して連結されている。これにより、液晶表示装置１１の上下方向への可動を安定して行うことができる。
【０１１８】
ここで、図１０（ａ）、（ｂ）を参照して、役物駆動ユニット２２１の動作について説明する。
【０１１９】
まず、図１０（ａ）に示すように、液晶表示装置１１が下降している状態で駆動モータ２３０を駆動させると、ピニオンギヤ２３１が回転し、当該回転が減速ギヤ機構２３２を介してウォームギヤ２３３に伝達される。
【０１２０】
次いで、ウォームギヤ２３３が回転すると、アーム部材２３５のギヤ部２３５ａが図中、時計回り方向に回動する。このとき、駆動モータ２３０から伝達された回転は、ウォームギヤ２３３によってその回転方向が変更される。つまり、ウォームギヤ２３３の回転方向とギヤ部２３５ａの回動方向は、直交することとなる。
【０１２１】
その後、ウォームギヤ２３３がさらに回転すると、図１０（ｂ）に示すように、アーム部材２３５がさらに図中、時計回り方向に回動する。これにより、液晶表示装置１１が上昇する。
【０１２２】
このとき、ねじりばね２３６がアーム部材２３５を上方向に付勢しているので、アーム部材２３５は、ねじりばね２３６の付勢力を利用して容易に時計回り方向に回動することができる。
【０１２３】
次いで、液晶表示装置１１は、図１０（ｂ）に示した上昇位置に到達し、その位置に維持される。このとき、ウォームギヤ２３３の回転方向とギヤ部２３５ａの回動方向とが直交しているので、液晶表示装置１１の自重によってギヤ部２３５ａが反時計回り方向に回動してしまうことが防止される。また、このとき、ねじりばね２３６の付勢力によって液晶表示装置１１の重量が軽減されているため、ギヤ部２３５ａの反時計回り方向への回転力が軽減される。このため、液晶表示装置１１は、図１０（ｂ）に示した上昇位置に確実に維持される。
【０１２４】
また、本実施の形態では、上述のように、ねじりばね２３６の付勢力が液晶表示装置１１の重量を軽減する機能を有するので、駆動モータ２３０の劣化を抑制することができる。このように、本実施の形態では、液晶表示装置１１の重量に応じたねじりばね２３６を設けるだけの簡易かつ低コストな構成で、上述したような効果を得ることができる。
【０１２５】
なお、本実施の形態では、液晶表示装置１１の重量を軽減する構成として、ねじりばね２３６を用いたが、これに限定されるものではなく、例えば板ばねやエアダンパ等で代用することも可能である。
【０１２６】
次に、図１２〜図１５を参照して、本実施の形態に係るセレクタ２６の詳細な構成について説明する。
【０１２７】
図１２に示すように、セレクタ２６は、フロントドア２ｂ（図３参照）の背面においてメダル投入口１３（図２参照）の下流側に取付けられている。セレクタ２６は、ベースフレーム２６ａと、ベースフレーム２６ａに対して回動自在に取付けられたガイドカバー２６ｂとを含んで構成されている。ガイドカバー２６ｂは、図示しないねじりばねによって常時、ベースフレーム２６ａ側に付勢されている。
【０１２８】
ベースフレーム２６ａとガイドカバー２６ｂは、閉じた状態で互いに向かい合う内側面の一部分が当接することにより、メダルの厚みより若干広い隙間を保つようにして、該メダルが通過する通路が形成されている。
【０１２９】
セレクタ２６の左上部には、ベースフレーム２６ａとガイドカバー２６ｂとで形成されたメダルの入口である投入口２６０が設けられている。また、セレクタ２６の内部には、図１２中、一点鎖線で示すように、該投入口２６０と連通し、セレクタ２６内のメダルを案内する案内通路２６２が形成されている。
【０１３０】
投入口２６０からセレクタ２６内に投入された正規のメダルは、案内通路２６２を通じてセレクタ出口２６３からガイドレール２７に排出される。また、セレクタ２６には、返却通路２６４が形成されており、正規でない偽メダル及び受入禁止メダルは、返却通路２６４を通じてセレクタ２６の下部に排出され、ガイドレール２７に排出されないようになっている。
【０１３１】
ここで、セレクタ２６は、案内通路２６２上に、投入センサ８０、第１のメダル通過センサ８１及び第２のメダル通過センサ８２が設けられている。これら投入センサ８０、第１の通過センサ８１及び第２の通過センサ８２は、案内通路２６２を通過するメダルを検出するものであり、メダル通過検出手段を構成する。
【０１３２】
図１３（ａ）に示すように、投入センサ８０は、透過型フォトインタラプタによって構成されており、メダルが投入口２６０に投入されていない状態では、回動部材８０１の遮蔽部材８０１ａが発光素子から出射されている光を遮断することによってメダルが投入口２６０に投入されていないことを検出している。
【０１３３】
一方、図１３（ｂ）に示すように、投入口２６０にメダルが投入されると、回動部材８０１が図中、反時計回り方向に回動して遮蔽部材８０１ａが投入センサ８０から外れる。これにより、投入センサ８０は、発光素子から出射された光が受光素子で検出可能となり、メダルが投入口２６０に投入されたことを検出する。
【０１３４】
図１４に示すように、第１のメダル通過センサ８１は、透過型フォトインタラプタによって構成されており、発光素子と受光素子とが案内通路２６２を挟んで互いに対向するように配置されている。第１のメダル通過センサ８１は、案内通路２６２を通過するメダルによって光が遮断されることで、メダルが案内通路２６２を通過したことを検出する。
【０１３５】
図１５（ａ）に示すように、第２のメダル通過センサ８２は、透過型フォトインタラプタによって構成されており、メダルが案内通路２６２を通過していない状態では、回動部材８０２の遮蔽部材８０２ａが発光素子から出射されている光を遮断してない状態にある。
【０１３６】
一方、図１５（ｂ）に示すように、メダルが案内通路２６２を通過すると、回動部材８０２が図中、時計回り方向に回動して遮蔽部材８０２ａが発光素子から出射されている光を遮断する。これにより、第２のメダル通過センサ８２は、メダルが案内通路２６２を通過したことを検出する。
【０１３７】
ここで、上述した投入センサ８０、第１のメダル通過センサ８１及び第２のメダル通過センサ８２は、いずれも反射型フォトインタラプタによって構成されていてもよい。また、これらセンサのうち、任意のセンサのみを反射型フォトインタラプタによって構成してもよい。
【０１３８】
また、図１２に示すように、セレクタ２６には、図示しない補強プレートを介してガイドレール２７が取付けられている。具体的には、ガイドレール２７は、メダルの受け入れ口がセレクタ出口２６３と連通するようにセレクタ２６に取付けられている。また、ガイドレール２７のメダルの出口は、ホッパ装置４３に向けて開口されている。これにより、ガイドレール２７は、セレクタ２６内を通過した正規のメダルをホッパ装置４３に案内することができる。
【０１３９】
また、ガイドレール２７は、例えば樹脂製の透明部材で形成されている。なお、ガイドレール２７は、透明部材に限られるものではなく、また樹脂製に限られるものでもない。
【０１４０】
このガイドレール２７には、上述したガイドレール通過センサ８３が取付部材２７１を介して取付けられている。ガイドレール通過センサ８３は、反射型フォトインタラプタによって構成されている。なお、ガイドレール通過センサ８３は、透過型フォトインタラプタによって構成されていてもよい。
【０１４１】
また、ガイドレール通過センサ８３は、ガイドレール２７上においてセレクタ２６側（受け入れ口側）よりもホッパ装置４３側（出口側）に設けられている。これにより、メダル投入口１３とガイドレール通過センサ８３との距離が大きくなり、メダル投入口１３からガイドレール通過センサ８３へのアクセスが容易に行われないようにしている。
【０１４２】
次に、図１６及び図１７を参照して、本実施の形態に係るメダル投入口１３の詳細な構成について説明する。
【０１４３】
図１６に示すように、メダル投入口１３は、投入口部材１３０に形成されており、この投入口部材１３０を介して台座部１２に設けられている。
【０１４４】
また、投入口部材１３０は、台座部１２の表面側に露出する露出プレート１３０ａを備えている。露出プレート１３０ａは、例えばポリカーボネート（ＰＣ）、又はＡＢＳ等の合成樹脂で形成されており、その表面にクロムメッキや銀メッキ等のメッキ処理が施されている。なお、露出プレート１３０ａは、合成樹脂に限らず、例えば亜鉛、亜鉛合金などの金属をダイカスト鋳造することで一体形成したものであってもよい。この場合であっても、見栄えを向上させるために、露出プレート１３０ａの表面にメッキ処理を施してもよい。
【０１４５】
この露出プレート１３０ａには、下方に円弧状に凹んだメダル案内面１３０ｂが形成されており、メダル案内面１３０ｂの奥側にスリット状のメダル投入口１３が形成されている。
【０１４６】
メダル案内面１３０ｂは、遊技者側からメダル投入口１３に向けて下降するように形成されており、メダルを多数枚、起立させて設置できる程度の長さを備えている。また、メダル案内面１３０ｂの傾斜角度については、メダルが円滑に滑るように水平面に対して傾斜していればよく、その角度については特に限定されることはない。
【０１４７】
また、投入口部材１３０には、メダル返却ボタン１３１が設けられている。メダル返却ボタン１３１は、メダル案内面１３０ｂの側方に配置されている。このメダル返却ボタン１３１を押圧操作すると、メダルがメダル払出口２１（図２参照）から排出される。
【０１４８】
一方、図１７に示すように、投入口部材１３０の内部には、メダル投入口１３から投入されたメダルをセレクタ２６に案内する投入通路１３２が設けられている。ここで、投入口部材１３０は、図示を省略しているが、露出プレート１３０ａの背面側（図１７中、紙面手前側）に、例えば樹脂製の通路部材を備えている。
【０１４９】
したがって、投入口部材１３０は、露出プレート１３０ａと上述の通路部材とによって投入通路１３２を形成している。なお、本実施の形態に係る投入口部材１３０は、露出プレート１３０ａと通路部材とによって投入通路１３２を形成したが、これに限らず、例えば通路部材を備えずに露出プレート１３０ａのみによって投入通路１３２を形成してもよい。
【０１５０】
投入通路１３２には、メダルの投入方向（図１７中、下方向）に対して直交するメダルの径方向（図１７中、左右方向）に傾斜した傾斜部１３２ａが設けられている。傾斜部１３２ａは、メダルの投入方向の下流に向かうに従い径方向の内方に傾斜した構成を有する。これにより、投入通路１３２は、メダル投入口１３から投入方向の下流に向かうに従い、徐々にその左右方向の幅が狭くなる。
【０１５１】
このため、メダル投入口１３に投入されたメダルは、傾斜部１３２ａに沿って投入通路１３２を落下することで、その落下速度が一定の速度に調整される。
【０１５２】
また、傾斜部１３２ａは、投入通路１３２の左右方向の両側にそれぞれ設けられている。なお、傾斜部１３２ａは、投入通路１３２の左右方向のいずれか一方側にのみ設ける構成であってもよい。
【０１５３】
さらに、投入通路１３２には、メダルの表面及び裏面に対向する一対の対向面１３２ｂが形成されている。具体的には、一対の対向面１３２ｂは、投入通路１３２を形成する露出プレート１３０ａと上述の通路部材の双方にそれぞれ形成されている。
【０１５４】
本実施の形態では、これら一対の対向面１３２ｂのうち露出プレート１３０ａ側の対向面１３２ｂに、投入方向に沿って延在する溝部１３３が径方向（図１７中、左右方向）に所定の間隔で複数設けられている。
【０１５５】
これにより、メダル投入口１３から進入したようなゴミや埃等は、溝部１３３に溜まることとなる。したがって、ゴミや埃等がメダルの表面および裏面に直接、接しないようになる。なお、こうした溝部１３３は、一対の対向面１３２ｂの双方に設けられてもよいし、通路部材側の対向面１３２ｂにのみ設ける構成であってもよい。
【０１５６】
次に、図１８及び図１９を参照して、本実施の形態に係るメダル補助収納庫４５の詳細な構成、及びキャビネット２ａに対するメダル補助収納庫４５の収容方法について説明する。
【０１５７】
図１８に示すように、キャビネット２ａの底板２００には、パチスロ機１の内部のメダルをパチスロ機１の外部に排出するための排出口２００ａが形成されている。排出口２００ａは、遊技機前面側が台形形状をなしている。排出口２００ａから排出されたメダルは、パチスロ機１の下部に配設されたベルトコンベア等のメダル搬送装置によって所望の位置に搬送される。
【０１５８】
また、キャビネット２ａの背面板２０１には、キャビネット２ａ内と外部とを連通する連通孔２０１ａが形成されている。背面板２０１には、前述の連通孔２０１ａを介して、上述した一対のメダル検出片５７ａ、５７ｂからなるメダル補助収納庫スイッチ５７が取り付けられている。
【０１５９】
図１８及び図１９に示すように、メダル補助収納庫４５は、上部が開口された箱型形状であり、底部４５０を有している。底部４５０には、メダル補助収納庫４５がキャビネット２ａに収容された際にキャビネット２ａの排出口２００ａと連通する排出孔４５０ａが形成されている。
【０１６０】
また、底部４５０の遊技機前面側には、キャビネット２ａの排出口２００ａに係合する突起４５０ｂが形成されている。突起４５０ｂは、底面側から見た形状が排出口２００ａの遊技機前面側の台形形状と同一の形状となっている。また、突起４５０ｂは、底部４５０から下方に向けて僅かに突出した突起である。
【０１６１】
このため、メダル補助収納庫４５をキャビネット２ａに収容する際には、突起４５０ｂを排出口２００ａの遊技機前面側の台形形状に合わせるだけで、キャビネット２ａに対するメダル補助収納庫４５の位置決めが容易になされる。この結果、メダル補助収納庫４５をキャビネット２ａに収容した際に、排出孔４５０ａと排出口２００ａとの位置がずれることがない。
【０１６２】
なお、突起４５０ｂの底面側から見た形状は、台形形状に限らず、例えば半円形状、多角形状等、任意の形状とすることができる。この場合、突起４５０ｂの形状に合わせて、排出口２００ａの遊技機前面側も突起４５０ｂの形状と同様の形状に変更される。
【０１６３】
また、メダル補助収納庫４５は、遊技機背面側の側面部４５１に、上述したメダル検出片５７ａ、５７ｂが挿通されるための挿通口４５１ａが２つ形成されている。これら挿通口４５１ａは、メダル補助収納庫４５をキャビネット２ａに収容した際に、メダル検出片５７ａ、５７ｂがそれぞれ挿通口４５１ａを介してメダル補助収納庫４５内に挿入される最適な高さ及び遊技機左右方向の位置に配置される。
【０１６４】
さらに、メダル補助収納庫４５は、図１９に示すように、排出孔４５０ａを開閉可能な底蓋４５２を有する。底蓋４５２は、底部４５０側の端部を支点に図中、矢印方向に回動自在に構成されている。図１９では、底蓋４５２が排出孔４５０ａを開放している状態を示している。なお、底蓋４５２が排出孔４５０ａを開放した状態では、底蓋４５２は、メダルを排出口２００ａに誘導するメダル誘導部材として機能する。
【０１６５】
パチスロ機１を設置する遊技場がメダルの自動排出が可能な設備を有する場合には、本実施の形態のように、排出孔４５０ａを開放するよう底蓋４５２が開状態にされる。一方、パチスロ機１を設置する遊技場がメダルの自動排出が可能な設備を有さない場合には、手動排出を行うべく底蓋４５２が閉状態にされて、排出孔４５０ａが閉鎖される。
【０１６６】
次に、図２０及び図２１を参照して、本実施の形態に係る十字キー１８の詳細な構成について説明する。なお、図２１は、十字キー１８が台座部１２に組付けられたときの状態を示している。
【０１６７】
図２０及び図２１に示すように、十字キー１８は、遊技者によって押下操作される十字型の押下部１８０と、押下部１８０の下方に配置されたスイッチ基板６７と、押下部１８０とスイッチ基板６７との間に設けられたカバー部材１８１と、を含んで構成されている。
【０１６８】
押下部１８０は、上面側が台座部１２の表面に露出し、下面側が台座部１２の内部、すなわちパチスロ機１の内部に埋設されている。また、この押下部１８０の下面には、後述する検出スイッチ６７ａに接触可能な凸部１８０ａが、上下左右方向の各方向に対応して４つ設けられる。
【０１６９】
また、押下部１８０の中央部には、円筒状の凹部１８０ｂが形成されている。押下部１８０は、台座部１２に取付けられた際に凹部１８０ｂの底面が台座部１２の内面に接するようになっている。これにより、押下部１８０は、台座部１２に対して抜け止めされる。
【０１７０】
スイッチ基板６７には、遊技者による押下部１８０の押下操作を検出する４つの検出スイッチ６７ａが実装されている。検出スイッチ６７ａは、押下部１８０の各凸部１８０ａに対応して、上下左右方向の各方向に１つずつ配置されている。また、検出スイッチ６７ａは、押しボタン式のスイッチで構成されている。
【０１７１】
カバー部材１８１は、スイッチ基板６７を覆うもので、例えばポリエチレンテレフタレート（ＰＥＴ）等の合成樹脂によって形成されている。カバー部材１８１は、スイッチ基板全体を覆うとともに、検出スイッチ６７ａの高さに合わせて一部突出した形状を有している。具体的には、カバー部材１８１は、スイッチ基板６７を被覆可能な形状の下部１８１ａと押下部１８０の形状を模した形状の上部１８１ｂとが一体成型された構成を有する。また、上部１８１ｂは、押下部１８０の沈み込みを防止する機能を有する。
【０１７２】
本実施の形態では、上述のようにカバー部材１８１を設けたので、十字キー１８を台座部１２に組付けたときの押下部１８０の各凸部１８０ａの先端からスイッチ基板６７までの沿面距離が大きくなる。すなわち、押下部１８０とスイッチ基板６７との間にカバー部材１８１を設けるだけで、押下部１８０からスイッチ基板６７にアクセスするための距離がカバー部材１８１に沿った距離（図２１中、矢印Ａで示す距離）となる。
【０１７３】
これに対して、カバー部材１８１がない場合には、押下部１８０の各凸部１８０ａの先端からスイッチ基板６７までの距離は、検出スイッチ６７ａの高さ分の距離（図２１中、矢印Ｂで示す距離）のみとなってしまい、比較的容易に押下部１８０側からスイッチ基板６７にアクセス可能となってしまう。この場合、例えば押下部１８０と台座部１２との間の隙間からスイッチ基板６７に不正にアクセスされ、ゴト行為がなされるおそれがある。
【０１７４】
本実施の形態では、上述の通り、カバー部材１８１を設けて押下部１８０の各凸部１８０ａの先端からスイッチ基板６７までの沿面距離を十分に設けたので、押下部１８０と台座部１２との間の隙間からスイッチ基板６７に容易にアクセスされるようなことがない。
【０１７５】
また、押下部１８０の各凸部１８０ａと検出スイッチ６７ａとの間にカバー部材１８１が設けられることで、押下部１８０の押圧時の荷重がかかる面積を広くすることができる。これにより、検出スイッチ６７ａにかかる荷重が分散され、凸部１８０ａが直接、検出スイッチ６７ａを押下する場合と比較して検出スイッチ６７ａの耐久性が向上する。
【０１７６】
また、押下部１８０の押圧時の荷重がかかる面積が広いので、例えば凸部１８０ａと検出スイッチ６７ａとの位置がずれていても、検出スイッチ６７ａの周辺部分を押下するだけで検出スイッチ６７ａを押下することができる。
【０１７７】
なお、本実施の形態では、押下部１８０の抜け止めとして凹部１８０ｂを設けたが、これに限らず、例えば押下部１８０の側面部の全周あるいは一部に、台座部１２の内面に接触可能な抜け止め用のフランジを設けてもよい。特に、押下部１８０の側面部の全周にフランジを設けた場合には、カバー部材１８１と併せてスイッチ基板６７への不正なアクセスを二重に防止でき、セキュリティ性がさらに高められる。
【０１７８】
次に、図２２及び図２３を参照して、本実施の形態に係るパネルユニット２０の詳細な構成について説明する。
【０１７９】
図２２及び図２３に示すように、パネルユニット２０は、装飾パネル２５０と、光源としての３つのＬＥＤチップ２５１と、第１の反射部材２５２と、第２の反射部材２５３と、を含んで構成されている。
【０１８０】
装飾パネル２５０は、透過性を有する合成樹脂で形成され、例えばパチスロ機１のロゴやメーカロゴ等、任意の装飾が施されている。各ＬＥＤチップ２５１は、ＬＥＤ基板７２に実装され、ＬＥＤ群２５（図４参照）を構成している。各ＬＥＤチップ２５１は、遊技機背面側から装飾パネル２５０に向けて光を照射するようになっている。
【０１８１】
第１の反射部材２５２は、装飾パネル２５０のＬＥＤチップ２５１との対向面２５０ａに、各ＬＥＤチップ２５１に対応して３つ設けられている。第１の反射部材２５２は、ＬＥＤチップ２５１から照射された光を拡大させつつ遊技機背面側に反射させるものである。
【０１８２】
具体的には、第１の反射部材２５２は、先端をＬＥＤチップ２５１側に向けた円錐状の形状を有し、表面にメッキが施されている。なお、第１の反射部材２５２の形状は、ＬＥＤチップ２５１から照射された光を拡大させつつ遊技機背面側に反射させる形状であれば、いずれの形状であってもよく、例えば三角錐形状、弾頭形状等であってもよい。
【０１８３】
第２の反射部材２５３は、装飾パネル２５０の遊技機背面側で各ＬＥＤチップ２５１を取り囲むよう、装飾パネル２５０とＬＥＤ基板７２との間に配置されている。第２の反射部材２５３は、第１の反射部材２５２により反射された光を装飾パネル２５０に向けて反射させるものである。
【０１８４】
具体的には、第２の反射部材２５３には、各ＬＥＤチップ２５１の出射面を装飾パネル２５０側に露出させるための貫通孔２５３ａが形成されている。第２の反射部材２５３は、ＬＥＤチップ２５１を中心とした、すなわち貫通孔２５３ａを中心としたすり鉢状に形成されている。詳細には、第２の反射部材２５３には、各貫通孔２５３ａを中心に３つのすり鉢状の反射面２５３ｂが形成されている。
【０１８５】
反射面２５３ｂの表面は、第１の反射部材２５２により反射された光の多くが装飾パネル２５０に向けて反射されるようメッキが施されるとともに、放射状に段差が形成されている。なお、放射状に段差は、形成されていなくともよい。
【０１８６】
このように構成されたパネルユニット２０において、図２３に示すように、ＬＥＤチップ２５１から照射された光は、第１の反射部材２５２で照射範囲が拡大されつつ第２の反射部材２５３に向けて反射する。第１の反射部材２５２で反射された光は、第２の反射部材２５３で装飾パネル２５０に向けて反射される。これにより、遊技機前後方向の幅が狭い限られたスペースのなかで、ＬＥＤチップ２５１から照射された光が装飾パネル２５０において広範囲に拡散される。
【０１８７】
このため、本実施の形態では、ＬＥＤチップ２５１から照射された光を、レンズを用いて拡散させるよりも効果的に広範囲に拡散させることができ、少数のＬＥＤチップで十分な光源を確保することができる。
【０１８８】
以上のように、本実施の形態に係るパチスロ機１は、図７〜図９に示したように、リールユニット３の支持体３ａがせり出し部３０を有し、そのせり出し部３０が表示窓４から視認可能な領域外においてフロントドア２ｂと複数のリール３Ｌ、３Ｃ、３Ｒとの間の隙間を塞ぐよう表示窓４側にせり出している。このため、キャビネット２ａに対してフロントドア２ｂを閉鎖したときには、キャビネット２ａ内やフロントドア２ｂに配策されたハーネス３５がせり出し部３０によって表示窓４側に押し当てられる。これにより、ハーネス３５がリール３Ｌ、３Ｃ、３Ｒに接触することを回避することができる。
【０１８９】
また、本実施の形態に係るパチスロ機１は、せり出し部３０がフロントドア２ｂと複数のリール３Ｌ、３Ｃ、３Ｒとの間の隙間を塞ぐよう表示窓４側にせり出しているので、キャビネット２ａ内のホッパ装置４３や電源装置４４等が表示窓４から視認されることを防止することができる。
【０１９０】
また、本実施の形態に係るパチスロ機１は、特にリール３Ｌ、３Ｃ、３Ｒへの接触のおそれがある、フロントドア２ｂ側に設けられた電装品とキャビネット２ａ側に設けられた電装品とを電気的に接続するハーネス３５に対して有効である。
【０１９１】
また、本実施の形態に係るパチスロ機１は、せり出し部３０が取っ手としての機能を兼ね備えるので、リールユニット３の着脱に際してはせり出し部３０を取っ手として利用することによってリールユニット３の着脱を容易に行うことができる。
【０１９２】
また、図１０及び図１１で示したように、本実施の形態に係るパチスロ機１は、駆動モータ２３０の回転を、ウォームギヤ２３３を介して液晶表示装置１１に伝達するようになっている。このため、仮に可動式の役物として比較的重量のある液晶表示装置１１を用いても、その液晶表示装置１１の自重によってウォームギヤ２３３が回転することがないので、液晶表示装置１１を任意の位置に容易に停止させておくことができる。また、このとき、ねじりばね２３６の付勢力によって液晶表示装置１１の重量が軽減されているため、ギヤ部２３５ａの反時計回り方向への回転力を軽減することができる。
【０１９３】
また、本実施の形態に係るパチスロ機１は、ねじりばね２３６によってアーム部材２３５を常時、上方向に付勢しているので、液晶表示装置１１を上方向に可動させる際に駆動モータ２３０にかかる負荷を軽減することができる。これにより、液晶表示装置１１の上昇時に駆動モータ２３０にかかる負荷と下降時に駆動モータ２３０にかかる負荷とを均一化することができる。この結果、液晶表示装置１１は、上昇時と下降時とで同一距離を同一時間で移動することができる。よって、本実施の形態に係るパチスロ機１は、液晶表示装置１１の上昇時と下降時とで、駆動モータ２３０を駆動させるための制御を共通化することができる。
【０１９４】
また、本実施の形態では、上述のように、ねじりばね２３６の付勢力が液晶表示装置１１の重量を軽減する機能を有するので、駆動モータ２３０の劣化を抑制することができる。
【０１９５】
したがって、本実施の形態に係るパチスロ機１は、可動式の役物として比較的重量のある液晶表示装置１１を用いることができ、当該役物の設計の自由度を高めることができる。また、本実施の形態では、液晶表示装置１１の重量に応じたねじりばね２３６を設けるだけの簡易かつ低コストな構成で、上述したような効果を得ることができる。
【０１９６】
また、本実施の形態に係るパチスロ機１は、ピニオンギヤ２３１とウォームギヤ２３３との間のギヤ列を減速ギヤ機構２３２で構成したので、駆動モータ２３０から伝達されるトルクを増幅してウォームギヤ２３３に伝達することができる。これにより、可動式の液晶表示装置１１を可動する際に駆動モータ２３０にかかる負荷を軽減することができる。
【０１９７】
このように、本実施の形態に係るパチスロ機１は、役物駆動ユニット２２１を上述のような構成としたので、可動式の役物として比較的重量のある液晶表示装置１１を用いることができる。
【０１９８】
また、図１２に示したように、本実施の形態に係るパチスロ機１は、ガイドレール２７上にガイドレール通過センサ８３を設けたので、例えばホッパ装置４３内で縦に積み上がったメダルがガイドレール２７上にまで達したことや、ガイドレール２７上でのメダル詰まりを検出することができる。したがって、本実施の形態に係るパチスロ機１は、セレクタ２６からガイドレール２７を介してメダルがホッパ装置４３などに適切に案内されていることを監視することができる。
【０１９９】
また、図１２〜図１５で示したように、本実施の形態に係るパチスロ機１は、セレクタ２６内の案内通路２６２上に投入センサ８０、第１のメダル通過センサ８１及び第２のメダル通過センサ８２を設けたので、セレクタ２６のメダル計数機能を不正に操作し誤作動させ、メダルを投入していないにもかかわらず不正に多数のクレジットを得るというゴト行為を抑制することができる。
【０２００】
また、本実施の形態に係るパチスロ機１は、ガイドレール通過センサ８３がガイドレール２７上においてセレクタ２６側よりもホッパ装置４３側に設けられているので、メダル投入口１３からガイドレール通過センサ８３までの距離を大きくとることができる。このため、メダル投入口１３からガイドレール通過センサ８３へのアクセスがしづらくなるので、特にメダル投入口１３を介して行われるゴト行為に対してセキュリティを高めることができる。
【０２０１】
また、図１６及び図１７で示したように、本実施の形態に係るパチスロ機１は、メダル投入口１３が形成された投入口部材１３０の投入通路１３２に傾斜部１３２ａが設けられているので、メダル投入口１３から投入されたメダルを傾斜部１３２ａに沿って案内することができる。これにより、傾斜部１３２ａを設けるだけの低コストおよび簡易な構成で、メダルが投入されるときの速さを一定の速度に調整することができる。
【０２０２】
また、本実施の形態に係るパチスロ機１は、投入通路１３２の一対の対向面１３２ｂの少なくともいずれか一方に、投入方向に沿って延在する溝部１３３が複数設けられている。このため、ゴミや埃などは、溝部１３３に溜まることとなりメダルの表面および裏面に直接、接することが抑制される。これにより、本実施の形態に係るパチスロ機１は、ゴミや埃などによるメダル詰まりを防止することができる。
【０２０３】
また、図１８及び図１９で示したように、本実施の形態に係るパチスロ機１は、メダル補助収納庫４５の遊技機前面側の底部４５０に、キャビネット２ａの排出口２００ａに係合する突起４５０ｂが形成されている。このため、メダル補助収納庫４５をキャビネット２ａに収容する際には、突起４５０ｂを排出口２００ａに係合させることでメダル補助収納庫４５をキャビネット２ａに対して正確に位置決めできる。これにより、メダル補助収納庫４５の排出孔４５０ａとキャビネット２ａの排出口２００ａとの位置がずれることを防止できる。
【０２０４】
また、本実施の形態に係るパチスロ機１は、メダル補助収納庫４５をキャビネット２ａに収容する際にはメダル補助収納庫４５の突起４５０ｂを排出口２００ａに係合させるだけでよいので、メダル補助収納庫４５のキャビネット２ａへの装着も容易である。
【０２０５】
さらに、本実施の形態に係るパチスロ機１は、メダル補助収納庫４５の遊技機前面側（手前側）を上に持ち上げて突起４５０ｂの係合を解除した後にメダル補助収納庫４５を手前側に引くことで、メダル補助収納庫４５をキャビネット２ａから容易に取り外すことができる。
【０２０６】
また、本実施の形態に係るパチスロ機１において、メダル補助収納庫４５の遊技機背面側の側面部４５１には、一対のメダル検出片５７ａ、５７ｂが挿通されるための挿通口４５１ａが形成されている。このため、メダル補助収納庫４５をキャビネット２ａから取り外す際に一対のメダル検出片５７ａ、５７ｂが挿通口４５１ａと干渉することがない。したがって、本実施の形態に係るパチスロ機１は、一対のメダル検出片５７ａ、５７ｂがメダル補助収納庫４５内に挿入されている場合であっても、メダル補助収納庫４５をキャビネット２ａから容易に取り外すことができる。
【０２０７】
また、本実施の形態に係るパチスロ機１は、メダル補助収納庫４５が排出孔４５０ａを開閉可能な底蓋４５２を有するので、パチスロ機１の設置環境に応じて底蓋４５２を開閉させることで、メダルの自動排出および手動排出のいずれにも対応可能である。
【０２０８】
また、本実施の形態に係る底蓋４５２は、排出孔４５０ａの開放時、メダルを排出口２００ａに誘導するメダル誘導部材として機能するので、メダルの自動排出において円滑にメダルをパチスロ機１の外部に排出することができる。
【０２０９】
また、図２０及び図２１で示したように、本実施の形態に係るパチスロ機１は、十字キー１８の押下部１８０とスイッチ基板６７との間にスイッチ基板６７を覆うカバー部材１８１を設けたので、押下部１８０の検出スイッチ６７ａへの接触面からスイッチ基板６７までの沿面距離を大きくとることができる。すなわち、押下部１８０側からスイッチ基板６７にアクセスするために必要な距離を、カバー部材１８１を設けない場合と比較して格段に大きくすることができる。
【０２１０】
これにより、押下部１８０側からスイッチ基板６７にアクセスするために必要な距離を大きくとるために押下部１８０とスイッチ基板６７とを大きく離隔させる必要がなくなる。このため、限られたスペースのなかで、押下部１８０およびスイッチ基板６７を近接して配置することができる。したがって、本実施の形態に係るパチスロ機１は、フロントドア２ｂに配置される十字キー１８の省スペース化を図ることができる。
【０２１１】
また、カバー部材１８１は、スイッチ基板６７を被覆可能な形状の下部１８１ａと押下部１８０の形状を模した形状の上部１８１ｂとが一体成型され、上部１８１ｂが押下部１８０の沈み込みを防止する機能を有するので、下部１８１ａがスイッチ基板６７を好適に被覆できるとともに、上部１８１ｂが押下部１８０の沈み込みを防止することができる。
【０２１２】
また、図２２及び図２３で示したように、本実施の形態に係るパチスロ機１において、パネルユニット２０は、ＬＥＤチップ２５１から照射された光を円錐状の第１の反射部材２５２によって遊技機背面側に拡大させつつ反射させることができる。また、パネルユニット２０は、第１の反射部材２５２によって拡大させつつ反射させた光を、ＬＥＤチップ２５１を取り囲むよう配置された第２の反射部材２５３によって装飾パネル２５０に向けて反射させることができる。
【０２１３】
これにより、パネルユニット２０は、遊技機前後方向に大きな距離をとらずに、ＬＥＤチップ２５１から照射された光を広範囲に拡散させることができる。また、本実施の形態では、ＬＥＤチップ２５１から照射された光を、レンズを用いて拡散させるよりも効果的に広範囲に拡散させることができ、少数のＬＥＤチップで十分な光源を確保することができる。したがって、本実施の形態に係るパチスロ機１は、限られたスペースのなかで装飾パネル２５０の光による演出効果を高めることができる。
【０２１４】
さらに、本実施の形態に係るパチスロ機１において、パネルユニット２０は、導光板などのように光を乱反射させて均一に発光させるものとは異なり、ＬＥＤチップ２５１から照射され反射される光に指向性を持たせることができ、装飾パネル２５０の装飾に対する明暗をはっきりさせることができる。これにより、さらに演出効果を高めることができる。
【０２１５】
また、本実施の形態に係るパチスロ機１は、第２の反射部材２５３がＬＥＤチップ２５１を中心としたすり鉢状に形成されているので、第１の反射部材２５２によって拡大させつつ反射された、より多くの光を効率的に装飾パネル２５０に向けて反射させることができる。
【０２１６】
また、本実施の形態では、遊技機としてパチスロ機を用いた例について説明したが、これに限定されるものではなく、例えばパチンコ機等、その他各種の遊技機であってもよい。
【符号の説明】
【０２１７】
１  パチスロ機（遊技機）
２ａ  キャビネット（筐体）
２ｂ  フロントドア
３  リールユニット
３Ｌ，３Ｃ，３Ｒ  リール
３ａ  支持体
４  表示窓
１１  液晶表示装置（役物、情報表示手段、画像表示装置）
１３  メダル投入口
１６  スタートレバー（開始操作手段）
１７Ｌ，１７Ｃ，１７Ｒ  ストップボタン（停止操作手段）
１８  十字キー（情報操作手段）
１９  腰部パネル
２０  パネルユニット
２６  セレクタ
２７  ガイドレール
３０  せり出し部
３１  突出片
３２  干渉防止片
３５  ハーネス
３６  クランプ
３７  クリップ
４３  ホッパ装置
４４  電源装置
４５  メダル補助収納庫
５７  メダル補助収納庫スイッチ
５７ａ、５７ｂ  メダル検出片
６７  スイッチ基板
６７ａ  検出スイッチ
７２  ＬＥＤ基板
７８  役物制御基板
８０  投入センサ（メダル通過検出手段）
８１  第１のメダル通過センサ（メダル通過検出手段）
８２  第２のメダル通過センサ（メダル通過検出手段）
８３  ガイドレール通過センサ（ガイドレール上メダル検出手段）
９１  主制御回路（主制御部）
１０１  副制御回路（副制御部）
１３０  投入口部材
１３２  投入通路
１３２ａ  傾斜部
１３２ｂ  対向面
１３３  溝部
１８０  押下部
１８１  カバー部材
２００  底板
２００ａ  排出口
２２１  役物駆動ユニット（可動装置、周辺装置）
２３０  駆動モータ
２３０ａ  駆動軸
２３１  ピニオンギヤ
２３２  減速ギヤ機構（出力ギヤ）
２３２ａ  第１減速ギヤ
２３２ｂ  第２減速ギヤ
２３３  ウォームギヤ
２３５  アーム部材
２３５ａ  ギヤ部
２３６  ねじりばね（付勢部材）
２５０  装飾パネル
２５０ａ  対向面
２５１  ＬＥＤチップ（光源）
２５２  第１の反射部材
２５３  第２の反射部材
２６２  案内通路
４５０  底部
４５０ａ  排出孔
４５０ｂ  突起
４５１  側面部
４５１ａ  挿通口
４５２  底蓋
【図１】
0005914583.tif 000002
【図２】
0005914583.tif 000003
【図３】
0005914583.tif 000004
【図４】
0005914583.tif 000005
【図５】
0005914583.tif 000006
【図６】
0005914583.tif 000007
【図７】
0005914583.tif 000008
【図８】
0005914583.tif 000009
【図９】
0005914583.tif 000010
【図１０】
0005914583.tif 000011
【図１１】
0005914583.tif 000012
【図１２】
0005914583.tif 000013
【図１３】
0005914583.tif 000014
【図１４】
0005914583.tif 000015
【図１５】
0005914583.tif 000016
【図１６】
0005914583.tif 000017
【図１７】
0005914583.tif 000018
【図１８】
0005914583.tif 000019
【図１９】
0005914583.tif 000020
【図２０】
0005914583.tif 000021
【図２１】
0005914583.tif 000022
【図２２】
0005914583.tif 000023
【図２３】
0005914583.tif 000024